(57)【要約】【課題】シーンに応じた使用により消費電力を低減することが可能な音声画像再生装置を提供すること。【解決手段】音声画像再生装置は、エンコードされた画像データ及びエンコードされた音声データを含む音声画像データを記憶する記憶手段と、前記音声画像データに含まれる画像データ及び音声データを分離する分離手段と、前記分離された音声データをデコードする第１のデータ処理手段と、前記分離された画像データをデコードする第２のデータ処理手段と、前記デコードされた音声データを出力する音声出力手段と、前記デコードされた画像データを出力する画像出力手段と、所定の指示入力に基づき前記第１のデータ処理手段による音声データのデコードを実行し前記第２のデータ処理手段による画像データのデコードを停止する制御手段とを備えている。【選択図】      図４
2007013438.tif 000002
【特許請求の範囲】
【請求項１】
エンコードされた画像データ及びエンコードされた音声データを含む音声画像データを記憶する記憶手段と、
前記音声画像データに含まれる画像データ及び音声データを分離する分離手段と、
前記分離された音声データをデコードする第１のデータ処理手段と、
前記分離された画像データをデコードする第２のデータ処理手段と、
前記デコードされた音声データを出力する音声出力手段と、
前記デコードされた画像データを出力する画像出力手段と、
所定の指示入力に基づき前記第１のデータ処理手段による音声データのデコードを実行し前記第２のデータ処理手段による画像データのデコードを停止する制御手段と、
を備えたことを特徴とする音声画像再生装置。
【請求項２】
前記第１のデータ処理手段によりデコードされた音声データを前記第２のデータ処理手段を経由して前記音声出力手段へ供給する音声データ供給手段を備え、
前記制御手段は、所定の指示入力に基づき前記第１のデータ処理手段による音声データのデコードを実行し前記第２のデータ処理手段への電力供給を停止することなく前記第２のデータ処理手段による画像データのデコードを停止することを特徴とする請求項１に記載の音声画像再生装置。
【請求項３】
前記第１のデータ処理手段によりデコードされた音声データを前記第２のデータ処理手段を経由せず前記音声出力手段へ供給する音声データ供給手段を備え、
前記制御手段は、所定の指示入力に基づき前記第１のデータ処理手段による音声データのデコードを実行し前記第２のデータ処理手段への電力供給を停止し前記第２のデータ処理手段による画像データのデコードを停止することを特徴とする請求項１に記載の音声画像再生装置。
【請求項４】
前記第１のデータ処理手段によりデコードされた音声データを前記第２のデータ処理手段を経由せず前記音声出力手段へ供給する音声データ供給手段とを備え、
前記制御手段は、第１の指示入力に基づき前記第１のデータ処理手段による音声データのデコードを実行し前記第２のデータ処理手段への電力供給を停止することなく前記第２のデータ処理手段による画像データのデコードを停止し、第２の指示入力に基づき前記第１のデータ処理手段による音声データのデコードを実行し前記第２のデータ処理手段への電力供給を停止し前記第２のデータ処理手段による画像データのデコードを停止することを特徴とする請求項１に記載の音声画像再生装置。
【請求項５】
前記第１のデータ処理手段によりデコードされた音声データを前記第２のデータ処理手段を経由して前記音声出力手段へ供給する音声データ供給手段を備え、
前記制御手段は、第１の指示入力に基づき前記第１のデータ処理手段による音声データのデコードを実行し前記画像出力手段への電力供給を停止する第１の省電力モードの実行を制御し、第２の指示入力に基づき前記第１のデータ処理手段による音声データのデコードを実行し前記画像出力手段への電力供給を停止し前記第２のデータ処理手段への電力供給を停止することなく前記第２のデータ処理手段による画像データのデコードを停止する第２の省電力モードの実行を制御することを特徴とする請求項１に記載の音声画像再生装置。
【請求項６】
前記第１のデータ処理手段によりデコードされた音声データを前記第２のデータ処理手段を経由せず前記音声出力手段へ供給する音声データ供給手段とを備え、
前記制御手段は、第１の指示入力に基づき前記第１のデータ処理手段による音声データのデコードを実行し前記画像出力手段への電力供給を停止する第１の省電力モードの実行を制御し、第２の指示入力に基づき前記第１のデータ処理手段による音声データのデコードを実行し前記画像出力手段への電力供給を停止し前記第２のデータ処理手段への電力供給を停止することなく前記第２のデータ処理手段による画像データのデコードを停止する第２の省電力モードの実行を制御し、第３の指示入力に基づき前記第１のデータ処理手段による音声データのデコードを実行し前記画像出力手段への電力供給を停止し前記第２のデータ処理手段への電力供給を停止し前記第２のデータ処理手段による画像データのデコードを停止する第３の省電力モードの実行を制御することを特徴とする請求項１に記載の音声画像再生装置。
【請求項７】
第１の時間の長押し操作に対応して前記第１の指示を入力し、前記第１の時間と異なる第２の時間の長押し操作に対応して前記第２の指示を入力し、前記第１及び第２の時間と異なる第３の時間の長押し操作に対応して前記第３の指示を入力する入力手段を備えたことを特徴とする請求項６に記載の音声画像再生装置。
【請求項８】
前記画像出力手段は、前記第１の指示入力に基づき前記第１の省電力モードの実行を表示し、前記第２の指示入力に基づき前記第２の省電力モードの実行を表示し、前記第３の指示入力に基づき前記第３の省電力モードの実行を表示することを特徴とする請求項６に記載の音声画像再生装置。
【請求項９】
前記制御手段は、前記画像出力手段により前記第１の省電力モードの実行、前記第２の省電力モードの実行、又は前記第３の省電力モードの実行を表示してから所定時間経過後に、前記画像出力手段への電力供給を停止することを特徴とする請求項８に記載の音声画像再生装置。
【請求項１０】
前記記憶手段の記憶容量より小さく、前記記憶手段に記憶された音声画像データの少なくとも一部を一時的に記憶しこの一時的に記憶した音声画像データを前記第１のデータ処理手段へ供給するバッファを備え、
前記制御手段は、前記記憶手段に記憶された音声画像データの少なくとも一部を読み出して前記バッファへ記憶させ、前記記憶手段からの音声画像データの読み出し不要期間において前記記憶手段への電力供給を停止することを特徴とする請求項１に記載の音声画像再生装置。
【請求項１１】
音声画像データに含まれる画像データ及び音声データを分離する分離手段と、前記分離された音声データをデコードする第１のデータ処理手段と、前記分離された画像データをデコードする第２のデータ処理手段と、前記デコードされた音声データを出力する音声出力手段と、前記デコードされた画像データを出力する画像出力手段とを備えた音声画像再生装置に適用可能な動作制御方法であって、
所定の指示入力に基づき、前記第１のデータ処理手段による音声データのデコードを実行し、前記第２のデータ処理手段による画像データのデコードを停止する、
ことを特徴とする動作制御方法。
【請求項１２】
前記音声画像再生装置は、前記第１のデータ処理手段によりデコードされた音声データを前記第２のデータ処理手段を経由して前記音声出力手段へ供給する音声データ供給手段を備え、
所定の指示入力に基づき、前記第１のデータ処理手段による音声データのデコードを実行し、前記第２のデータ処理手段への電力供給を停止することなく前記第２のデータ処理手段による画像データのデコードを停止することを特徴とする請求項１１に記載の動作制御方法。
【請求項１３】
前記音声画像再生装置は、前記第１のデータ処理手段によりデコードされた音声データを前記第２のデータ処理手段を経由せず前記音声出力手段へ供給する音声データ供給手段を備え、
所定の指示入力に基づき、前記第１のデータ処理手段による音声データのデコードを実行し、前記第２のデータ処理手段への電力供給を停止し前記第２のデータ処理手段による画像データのデコードを停止することを特徴とする請求項１１に記載の動作制御方法。
【発明の詳細な説明】
【技術分野】
【０００１】
本発明は、音声画像データを再生する音声画像再生装置に関する。また、本発明は、このような音声画像再生装置に適用可能な動作制御方法に関する。
【背景技術】
【０００２】
近年、動画視聴可能なモバイル端末（音声画像再生装置）の普及が目覚しい。このようなモバイル端末においては、連続再生時間を長くしたいという要望が強く、これに伴い消費電力の低減を図るための様々な技術が提案されている。
【０００３】
例えば、音声や動画などのマルチメディアデータが記録されたハードディスクドライブからデータを再生する際に、高速再生レートのデータなら通常モードで読み出し、低速再生レートのデータなら省電力モードで読み出すことにより、消費電力の最適化を図る技術が開示されている。
【特許文献１】特開２００３−１８７５１７
【発明の開示】
【発明が解決しようとする課題】
【０００４】
昨今、音楽のプロモーションビデオなどのように、音楽だけでも楽しめるコンテンツが普及している。このようなコンテンツをバッテリや電池で駆動するモバイル端末で楽しむ場合、映像視聴に不向きな利用シーンでは、映像出力を停止し音楽だけを出力させたい。しかしながら、従来のモバイル端末は、映像出力中は必ず映像を見ていることを想定していため、映像出力中は画面を消すことはできない。
【０００５】
このような音楽だけを聞きたい場合でも、映像のデコード及び出力を停止できないため、大変不便である。また、このような映像視聴に不向きな利用シーンにおいて、音楽だけを出力して消費電力を低減させたいという要望もある。
【０００６】
本発明の目的は、上記課題を解決するためになされたものであり、シーンに応じた使用により消費電力を低減することが可能な音声画像再生装置及び動作制御方法を提供することにある。
【課題を解決するための手段】
【０００７】
この発明の音声画像再生装置及び動作制御方法は、以下のように構成されている。
【０００８】
（１）この発明の音声画像再生装置は、エンコードされた画像データ及びエンコードされた音声データを含む音声画像データを記憶する記憶手段と、前記音声画像データに含まれる画像データ及び音声データを分離する分離手段と、前記分離された音声データをデコードする第１のデータ処理手段と、前記分離された画像データをデコードする第２のデータ処理手段と、前記デコードされた音声データを出力する音声出力手段と、前記デコードされた画像データを出力する画像出力手段と、所定の指示入力に基づき前記第１のデータ処理手段による音声データのデコードを実行し前記第２のデータ処理手段による画像データのデコードを停止する制御手段とを備えている。
【０００９】
（２）この発明の動作制御方法は、音声画像データに含まれる画像データ及び音声データを分離する分離手段と、前記分離された音声データをデコードする第１のデータ処理手段と、前記分離された画像データをデコードする第２のデータ処理手段と、前記デコードされた音声データを出力する音声出力手段と、前記デコードされた画像データを出力する画像出力手段とを備えた音声画像再生装置に適用可能な方法であって、所定の指示入力に基づき、前記第１のデータ処理手段による音声データのデコードを実行し、前記第２のデータ処理手段による画像データのデコードを停止する。
【発明の効果】
【００１０】
本発明によれば、シーンに応じた使用により消費電力を低減することが可能な音声画像再生装置及び動作制御方法を提供できる。
【発明を実施するための最良の形態】
【００１１】
以下、図面を参照し、本発明の実施形態について説明する。
【００１２】
図１は、本発明の動画再生装置の概観の一例を示す図である。図２は、動画再生装置による音声及び映像の再生出力の流れを示す図である。図３は、動画再生装置による音声だけの再生出力の流れを示す図である。図４は、第１例の動作再生装置の概略構成を示す図である。図６は、第２例の動作再生装置の概略構成を示す図である。
【００１３】
図４及び図６に示すように、動画再生装置は、ＣＰＵ１、記憶部（ＨＤＤ）２、メモリ（バッファ）３、ＤＳＰ（デジタルサーボプロセッサ）４、ＤＡＣ（デジタルアナログコンバータ）５、ディスプレイ６、スピーカ７、電源８、及び入力部９を備えている。
【００１４】
最初に、図２及び図４を参照して、第１例の動画再生装置による音声及び映像の再生出力について説明する。この動画再生装置の記憶部２には、例えば、エンコードされた画像データ及びエンコードされた音声データを含むデジタル音声画像データが記憶される。このデジタル音声画像データは、例えば、インターネット経由で購入されたコンテンツである。このデジタル音声画像データとしては、例えば、ＭＰＥＧ（Moving Picture Experts Group）２、ＭＰＥＧ４、ＷＭＶ（Windows Media Video）、Ｈ．２６４（ＩＴＵ−Ｔ勧告Ｈ．２６４）、ＡＣ（Audio Code number）−３がある。つまり、この動画再生装置は、これらデジタル音声画像データをデコードする機能を備えている。
【００１５】
ＣＰＵ１の読み出し制御により、記憶部２に記憶されたデジタル音声画像データは、メモリ３に読み出される。メモリ３は、バッファとして機能する。即ち、メモリ３の記憶容量は、記憶部２の記憶容量より小さい。記憶部２がＨＤＤであるとすると、デジタル音声画像データの再生中に、このＨＤＤを常時駆動させておくのは電力消費の点で効率が悪い。そこで、ＨＤＤに記憶されたデジタル音声画像データのうちの一部データをメモリ３に読み出しておき、メモリ３に読み出された一部データを再生出力している間は、ＨＤＤの駆動を停止する（直に読み出し可能なようにＨＤＤへの電力供給は停止しない）。或いは、ＨＤＤへの電力供給を停止する。これにより、電力消費を抑えることができる。メモリ３の容量を大容量化すればするほど、電力消費を抑えることができる。反面、動画再生装置のコストが上昇してしまう。そこで、この動画再生装置は、様々な電力消費抑制機能（後述する省電力モードＡ、Ｂ）を備えている。
【００１６】
メモリ３に読み出されたデジタル音声画像データは、ＣＰＵ１に供給される。ＣＰＵ１は、デジタル音声画像データに含まれる画像データ及び音声データを分離する。つまり、ＣＰＵ１は、映像部分と音声部分とを抽出する。さらに、ＣＰＵ１は、分離された音声データをデコードし、デコードされた音声データ及びデコードされていない画像データをＤＳＰ４へ出力する。ＤＳＰ４は、画像データをデコードし、デコードした画像データをディスプレイ６（ディスプレイ端子）へ出力するとともに、デコードされている音声データをＤＡＣ５へ出力する。つまり、ＣＰＵ１によりデコードされた音声データは、ＤＳＰ４を経由して出力される。ＤＡＣ５は、デジタル音声データをアナログ音声データへ変換し、また必要に応じて増幅し、アナログ音声データをスピーカ７（スピーカ端子）へ出力する。
【００１７】
以上により、ディスプレイ６により映像が出力され、スピーカ７により音声が出力される。ユーザは、映像と音声を同時に楽しむことができる。
【００１８】
続いて、図３及び図４を参照して、音声だけの再生出力の流れについて説明する。音声だけを楽しみたい場合に、ユーザは、入力部９の音声再生ボタン（省電力モードボタン）９ａを押下する。これに対応して、入力部９は、ＣＰＵ１に対して省電力モードの指示を入力する。この省電力モードの指示に基づき、ＣＰＵ１は、ＤＳＰ４による画像データのデコードを停止する。つまり、ＣＰＵ１は、デジタル音声画像データに含まれる画像データ及び音声データを分離し、分離された音声データをデコードし、デコードされた音声データ及びデコードされていない画像データをＤＳＰ４へ出力する。ＤＳＰ４は、画像データをデコードすることなく（画像データを出力することなく）、デコードされている音声データをＤＡＣ５へ出力する。その結果、スピーカ７からは音声が出力されるが、ディスプレイ６には映像が出力されなくなり、電力消費を抑制することができる。
【００１９】
さらに、図５を参照して、図４に示す動画再生装置による省電力モードＡ、Ｂについて説明する。入力部９の音声再生ボタン（省電力モードボタン）９ａが所定時間押下され続けると（第１の時間の長押し操作）、入力部９は、ＣＰＵ１に対して省電力モードＡの指示を入力する。さらに、入力部９の音声再生ボタン（省電力モードボタン）９ａが所定時間押下され続けると（第２の時間の長押し操作）、入力部９は、ＣＰＵ１に対して省電力モードＢの指示を入力する。この後、さらに、入力部９の音声再生ボタン（省電力モードボタン）９ａが所定時間押下され続けると、入力部９は、再びＣＰＵ１に対して省電力モードＡの指示を入力する。
【００２０】
省電力モードＡの指示に基づき、ＣＰＵ１は、各部（ＤＳＰ４、ＤＡＣ５、ディスプレイ６、スピーカ７など）に電力を供給する。ディスプレイ６には、例えば「省電力モードＡ、まもなく画面が消えます」が案内表示される。ＣＰＵ１は、所定時間経過後（例えば１０秒後）にディスプレイ６への電力供給を停止し、記憶部２に記憶されたデジタル音声画像データのうちの所定再生時間分のデータをメモリ３にまとめて読み出し、記憶部２の動作を停止させる。ＣＰＵ１は、メモリ３に読み出したデータが不足すると、再び、記憶部２を起動し、記憶部２に記憶されたデジタル音声画像データのうちの所定再生時間分のデータをメモリ３にまとめて読み出す。
【００２１】
ＣＰＵ１は、メモリ３からデジタル音声画像データを受け取り、このデジタル音声画像データに含まれる画像データ及び音声データを分離し、分離された音声データをデコードし、デコードされた音声データ及びデコードされていない画像データをＤＳＰ４へ出力する。ＤＳＰ４は、画像データをデコードし、デコードされた画像データをディスプレイ６へ出力し、またデコードされている音声データをＤＡＣ５へ出力する。その結果、スピーカ７からは音声が出力されるが、ディスプレイ６への電力供給が断たれるため、ディスプレイ６には画像は表示されない。
【００２２】
このように、記憶部２を必要時のみ動作させ、所定のタイミングでディスプレイ６への電力供給を断つことにより、電力消費を抑制することができる。また、ＤＳＰ４は、常時、画像データをデコードしていることから、操作部９の操作入力により省電力モードＡが解除され、通常視聴モード（音声＋映像の出力）が実行され、ディスプレイ６に電力が供給されれば、即座に、ディスプレイ６には画像が表示される。つまり、通常視聴モードの実行に伴い、直に音声及び映像を楽しむことができる。
【００２３】
また、省電力モードＢの指示に基づき、ＣＰＵ１は、各部（ＤＳＰ４、ＤＡＣ５、ディスプレイ６、スピーカ７など）に電力を供給する。ディスプレイ６には、例えば「省電力モードＡ、まもなく画面が消えます」が案内表示される。ＣＰＵ１は、所定時間経過後（例えば１０秒後）にディスプレイ６への電力供給を停止し、記憶部２に記憶されたデジタル音声画像データのうちの所定再生時間分のデータをメモリ３にまとめて読み出し、記憶部２の動作を停止させる。ＣＰＵ１は、メモリ３に読み出したデータが不足すると、再び、記憶部２を起動し、記憶部２に記憶されたデジタル音声画像データのうちの所定再生時間分のデータをメモリ３にまとめて読み出す。
【００２４】
ＣＰＵ１は、メモリ３からデジタル音声画像データを受け取り、このデジタル音声画像データに含まれる画像データ及び音声データを分離し、分離された音声データをデコードし、デコードされた音声データ及びデコードされていない画像データをＤＳＰ４へ出力する。ＤＳＰ４は、画像データをデコードすることなく（電源ＯＮ／デコードＯＦＦ）、デコードされている音声データをＤＡＣ５へ出力する。その結果、スピーカ７からは音声が出力されるが、ディスプレイ６には電力も映像も供給されない。
【００２５】
このように、記憶部２を必要時のみ動作させ、ＤＳＰによるデコードを停止し、所定のタイミングでディスプレイ６への電力供給を断つことにより、電力消費を大幅に抑制することができる。また、ＤＳＰ４には、常時、電力が供給されていることから、操作部９の操作入力により省電力モードＢが解除され、通常視聴モード（音声＋映像の出力）が実行され、ディスプレイ６に電力が供給されれば、即座に、ＤＳＰ４による画像データのデコードが開始できる。つまり、通常視聴モードの実行に伴い、直に音声及び映像を楽しむことができる。
【００２６】
次に、図２及び図６を参照して、第２例の動画再生装置による音声及び映像の再生出力について説明する。ＣＰＵ１の読み出し制御により、記憶部２に記憶されたデジタル音声画像データは、メモリ３に読み出される。メモリ３は、バッファとして機能する。即ち、メモリ３の記憶容量は、記憶部２の記憶容量より小さい。記憶部２がＨＤＤであるとすると、デジタル音声画像データの再生中に、このＨＤＤを常時駆動させておくのは電力消費の点で効率が悪い。そこで、ＨＤＤに記憶されたデジタル音声画像データのうちの一部データをメモリ３に読み出しておき、メモリ３に読み出された一部データを再生出力している間は、ＨＤＤの駆動を停止する（直に読み出し可能なようにＨＤＤへの電力供給は停止しない）。或いは、ＨＤＤへの電力供給を停止する。これにより、電力消費を抑えることができる。メモリ３の容量を大容量化すればするほど、電力消費を抑えることができる。反面、動画再生装置のコストが上昇してしまう。そこで、この動画再生装置は、様々な電力消費抑制機能（後述する省電力モードＡ、Ｂ、Ｃ）を備えている。
【００２７】
メモリ３に読み出されたデジタル音声画像データは、ＣＰＵ１に供給される。ＣＰＵ１は、デジタル音声画像データに含まれる画像データ及び音声データを分離する。つまり、ＣＰＵ１は、映像部分と音声部分とを抽出する。さらに、ＣＰＵ１は、分離された音声データをデコードし、デコードされた音声データをＤＡＣ５へ出力し、デコードされていない画像データをＤＳＰ４へ出力する。ＤＳＰ４は、画像データをデコードし、デコードした画像データをディスプレイ６（ディスプレイ端子）へ出力する。ＤＡＣ５は、デジタル音声データをアナログ音声データへ変換し、また必要に応じて増幅し、アナログ音声データをスピーカ７（スピーカ端子）へ出力する。
【００２８】
以上により、ディスプレイ６により映像が出力され、スピーカ７により音声が出力される。ユーザは、映像と音声を同時に楽しむことができる。
【００２９】
続いて、図３及び図６を参照して、音声だけの再生出力の流れについて説明する。音声だけを楽しみたい場合に、ユーザは、入力部９の音声再生ボタン（省電力モードボタン）９ａを押下する。これに対応して、入力部９は、ＣＰＵ１に対して省電力モードの指示を入力する。この省電力モードの指示に基づき、ＣＰＵ１は、ＤＳＰ４による画像データのデコードを停止する。つまり、ＣＰＵ１は、デジタル音声画像データに含まれる画像データ及び音声データを分離し、分離された音声データをデコードし、デコードされた音声データをＤＡＣ５へ出力し、デコードされていない画像データをＤＳＰ４へ出力する。ＤＳＰ４は、画像データをデコードしない（画像データを出力しない）。その結果、スピーカ７からは音声が出力されるが、ディスプレイ６には映像が出力されなくなり、電力消費を抑制することができる。
【００３０】
さらに、図７を参照して、図６に示す動画再生装置による省電力モードＡ、Ｂ、Ｃについて説明する。入力部９の音声再生ボタン（省電力モードボタン）９ａが所定時間押下され続けると（第１の時間の長押し操作）、入力部９は、ＣＰＵ１に対して省電力モードＡの指示を入力する。さらに、入力部９の音声再生ボタン（省電力モードボタン）９ａが所定時間押下され続けると（第２の時間の長押し操作）、入力部９は、ＣＰＵ１に対して省電力モードＢの指示を入力する。さらに、入力部９の音声再生ボタン（省電力モードボタン）９ａが所定時間押下され続ける（第３の時間の長押し操作）、入力部９は、ＣＰＵ１に対して省電力モードＣの指示を入力する。この後、さらに、入力部９の音声再生ボタン（省電力モードボタン）９ａが所定時間押下され続けると、入力部９は、再びＣＰＵ１に対して省電力モードＡの指示を入力する。
【００３１】
省電力モードＡの指示に基づき、ＣＰＵ１は、各部（ＤＳＰ４、ＤＡＣ５、ディスプレイ６、スピーカ７など）に電力を供給する。ディスプレイ６には、例えば「省電力モードＡ、まもなく画面が消えます」が案内表示される。ＣＰＵ１は、所定時間経過後（例えば１０秒後）にディスプレイ６への電力供給を停止し、記憶部２に記憶されたデジタル音声画像データのうちの所定再生時間分のデータをメモリ３にまとめて読み出し、記憶部２の動作を停止させる。ＣＰＵ１は、メモリ３に読み出したデータが不足すると、再び、記憶部２を起動し、記憶部２に記憶されたデジタル音声画像データのうちの所定再生時間分のデータをメモリ３にまとめて読み出す。
【００３２】
ＣＰＵ１は、メモリ３からデジタル音声画像データを受け取り、このデジタル音声画像データに含まれる画像データ及び音声データを分離し、分離された音声データをデコードし、デコードされた音声データをＤＡＣ５へ出力し、デコードされていない画像データをＤＳＰ４へ出力する。ＤＳＰ４は、画像データをデコードし、デコードされた画像データをディスプレイ６へ出力する。その結果、スピーカ７からは音声が出力されるが、ディスプレイ６への電力供給が断たれるため、ディスプレイ６には画像は表示されない。
【００３３】
このように、記憶部２を必要時のみ動作させ、所定のタイミングでディスプレイ６への電力供給を断つことにより、電力消費を抑制することができる。また、ＤＳＰ４は、常時、画像データをデコードしていることから、操作部９の操作入力により省電力モードＡが解除され、通常視聴モード（音声＋映像の出力）が実行され、ディスプレイ６に電力が供給されれば、即座に、ディスプレイ６には画像が表示される。つまり、通常視聴モードの実行に伴い、直に音声及び映像を楽しむことができる。
【００３４】
また、省電力モードＢの指示に基づき、ＣＰＵ１は、各部（ＤＳＰ４、ＤＡＣ５、ディスプレイ６、スピーカ７など）に電力を供給する。ディスプレイ６には、例えば「省電力モードＡ、まもなく画面が消えます」が案内表示される。ＣＰＵ１は、所定時間経過後（例えば１０秒後）にディスプレイ６への電力供給を停止し、記憶部２に記憶されたデジタル音声画像データのうちの所定再生時間分のデータをメモリ３にまとめて読み出し、記憶部２の動作を停止させる。ＣＰＵ１は、メモリ３に読み出したデータが不足すると、再び、記憶部２を起動し、記憶部２に記憶されたデジタル音声画像データのうちの所定再生時間分のデータをメモリ３にまとめて読み出す。
【００３５】
ＣＰＵ１は、メモリ３からデジタル音声画像データを受け取り、このデジタル音声画像データに含まれる画像データ及び音声データを分離し、分離された音声データをデコードし、デコードされた音声データをＤＡＣ５へ出力し、デコードされていない画像データをＤＳＰ４へ出力する。ＤＳＰ４は、画像データをデコードしない（電源ＯＮ／デコードＯＦＦ）。その結果、スピーカ７からは音声が出力されるが、ディスプレイ６には電力も映像も供給されない。
【００３６】
このように、記憶部２を必要時のみ動作させ、ＤＳＰによるデコードを停止し、所定のタイミングでディスプレイ６への電力供給を断つことにより、電力消費を大幅に抑制することができる。また、ＤＳＰ４には、常時、電力が供給されていることから、操作部９の操作入力により省電力モードＢが解除され、通常視聴モード（音声＋映像の出力）が実行され、ディスプレイ６に電力が供給されれば、即座に、ＤＳＰ４による画像データのデコードが開始できる。つまり、通常視聴モードの実行に伴い、直に音声及び映像を楽しむことができる。
【００３７】
また、省電力モードＣの指示に基づき、ＣＰＵ１は、各部（ＤＳＰ４、ＤＡＣ５、ディスプレイ６、スピーカ７など）に電力を供給する。ディスプレイ６には、例えば「省電力モードＡ、まもなく画面が消えます」が案内表示される。ＣＰＵ１は、所定時間経過後（例えば１０秒後）にディスプレイ６への電力供給を停止し、さらに、ＤＳＰ４への電力供給も停止し（ＤＳＰ４の電源ＯＦＦ）、記憶部２に記憶されたデジタル音声画像データのうちの所定再生時間分のデータをメモリ３にまとめて読み出し、記憶部２の動作を停止させる。ＣＰＵ１は、メモリ３に読み出したデータが不足すると、再び、記憶部２を起動し、記憶部２に記憶されたデジタル音声画像データのうちの所定再生時間分のデータをメモリ３にまとめて読み出す。
【００３８】
ＣＰＵ１は、メモリ３からデジタル音声画像データを受け取り、このデジタル音声画像データに含まれる画像データ及び音声データを分離し、分離された音声データをデコードし、デコードされた音声データをＤＡＣ５へ出力し、デコードされていない画像データをＤＳＰ４へ出力する。ＤＳＰ４には電力が供給されていないので、ＤＳＰ４は画像データをデコードすることはできない（電源ＯＦＦ／デコードＯＦＦ）。その結果、スピーカ７からは音声が出力されるが、ディスプレイ６には電力も映像も供給されない。
【００３９】
このように、記憶部２を必要時のみ動作させ、ＤＳＰへの電力供給を停止し（電源ＯＦＦ／デコードＯＦＦ）、所定のタイミングでディスプレイ６への電力供給を断つことにより、電力消費を大幅に抑制することができる。
【００４０】
以上により、バッテリや電池で駆動する動画再生できる携帯端末（動画再生装置）において、動画再生中に映像出力を停止し音声再生だけを行う場合に、消費電力を軽減でき端末の動作時間を長くすることができる。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】本発明の動画再生装置の概観の一例を示す図である。
【図２】動画再生装置による音声及び映像の再生出力の流れを示す図である。
【図３】動画再生装置による音声だけの再生出力の流れを示す図である。
【図４】第１例の動作再生装置の概略構成を示す図である。
【図５】図４に示す第１例の動画再生装置による省電力モードＡ、Ｂを説明するための図である。
【図６】第２例の動作再生装置の概略構成を示す図である。
【図７】図６に示す第２例の動画再生装置による省電力モードＡ、Ｂ、Ｃを説明するための図である。
【符号の説明】
【００４３】
１…ＣＰＵ、２…記憶部（ＨＤＤ）、３…メモリ（バッファ）、４…ＤＳＰ（デジタルサーボプロセッサ）、５…ＤＡＣ（デジタルアナログコンバータ）、６…ディスプレイ、７…スピーカ、８…電源、９…入力部
【図１】
2007013438.tif 000003
【図２】
2007013438.tif 000004
【図３】
2007013438.tif 000005
【図４】
2007013438.tif 000006
【図５】
2007013438.tif 000007
【図６】
2007013438.tif 000008
【図７】
2007013438.tif 000009